(57)【特許請求の範囲】
【請求項１】
監視区域外に設置し、操作者の個別情報を読取る第１の操作器および第２の操作器と、
監視区域内に設置し、操作者の個別情報を読取る第３の操作器と、
監視区域への出入口扉に設置した電気錠と、予め操作者の暗証番号と指紋データを含む個別情報を照合用データとして記憶しておき、前記第１、第２、第３の操作器で読取った個別情報と照合用データに基づき前記電気錠を解錠する制御装置と
監視区域外に報知手段を
設け、
前記制御装置は、
前記監視区域内への入室時に、第１の操作器で読取った個別情報が照合用データと一致すると、所定時間第２の操作器による個別情報の読取りを許容し、
第２の操作器で読取った個別情報が照合用データのうち第１の操作器で読取った個別情報以外の照合用データと一致するとき、第２の操作器で読取った個別情報を入室者データとして記憶するとともに電気錠を解錠し、
前記監視区域内から退室時に、第３の操作器で読取った個別情報が入室者データと一致すると、第１の操作器による照合操作を促すメッセージを報知手段より出力させ、
その後、第１の操作器で読取った個別情報が照合用データと一致すると、施錠されている電気錠を解錠動作させるとともに、第３の操作器で読取った個別情報を入室者データから削除する
ことを特徴とする管理システム。
【請求項２】
監視区域外に設置し、操作者の個別情報を読取る第１の操作器および第２の操作器と、
監視区域内に設置し、操作者の個別情報を読取る第３の操作器と、
監視区域への出入口扉に設置した電気錠と、予め操作者の暗証番号と指紋データを含む個別情報を照合用データとして記憶しておき、前記第１、第２、第３の操作器で読取った個別情報と照合用データに基づき前記電気錠を解錠する制御装置と
を設け、
前記制御装置は、
前記監視区域内への入室時に、第２の操作器で読取った個別情報が照合用データのうち第１の操作器で読取った個別情報以外の照合用データと一致すると、第１および第２の操作器で読取った個別情報を入室者データとして記憶するとともに電気錠を解錠し、
前記監視区域内から退室時に、第３の操作器で読取った個別情報が入室者データの第２操作器で読み取った個人情報と一致し、さらに第１の操作器で読取った個別情報が第３の操作器で読取った個別情報に対応する入室者データの第１操作器で読み取った個人情報と一致すると施錠されている電気錠を解錠するとともに、当該入室者データを削除する
ことを特徴とする管理システム。
【請求項３】
１または複数の保管箱を有する保管庫と、
操作者の個別情報を読取る第１および第２の操作器と、
使用可能な保管箱を表示するとともに、保管箱を選択する選択装置と、
各保管箱の扉に設置される電気錠と、
各保管箱内の物体の存在を検知し検知信号を出力する検知手段と、
保管箱の利用が許可されている者の暗証番号と指紋データを予め照合用データとして記憶している照合用データ記憶部と、
利用されている保管箱の識別データと第１及び第２の操作器で入力された暗証番号と指紋データを利用データとして記憶する利用データ記憶部と、
第１および第２の操作器で読取った個別情報と照合用データに基づき前記電気錠を解錠する制御装置とを有し、
前記制御装置は、
第１の操作器で読取った個別情報と第２の操作器で読取った個別情報が照合用データと一致し、且つ第２の操作器で読取った個別情報が照合用データのうち第１の操作器で読取った個別情報以外の照合用データと一致すると、検知手段からの検知信号に基づき空の保管箱を選択装置に表示し、さらに当該個別情報が利用データと一致すると当該操作者がすでに利用している保管箱を選択装置に表示し、
選択装置により表示した保管箱が選択されると、選択された保管箱の電気錠を解錠し、当該保管箱の扉を閉じたときに検知手段からの検知信号が入力していると、第１及び第２の操作器で読み取った個別情報を当該保管箱の識別情報に対する利用データとして記憶するようにした
ことを特徴とする管理システム。
【請求項４】
１または複数の保管箱を有する保管庫と、
操作者の個別情報を読取る第１および第２の操作器と、
使用可能な保管箱を表示するとともに、保管箱を選択する選択装置と、
各保管箱の扉に設置される電気錠と、
各保管箱内の物体の存在を検知し検知信号を出力する検知手段と、
保管箱の利用が許可されている者の暗証番号と指紋データを予め照合用データとして記憶している照合用データ記憶部と、
利用されている保管箱の識別データと第１及び第２の操作器で入力された暗証番号と指紋データを利用データとして記憶する利用データ記憶部と、
第１および第２の操作器で読取った個別情報と照合用データに基づき前記電気錠を解錠する制御装置と
を有し、
前記制御装置は、
第１の操作器で読取った個別情報が照合用データと一致すると、所定時間第２の操作器による個別情報の読取りを許容し、
第２の操作器で読取った個別情報が照合用データのうち第１の操作器で読取った個別情報以外の照合用データと一致すると、検知手段からの検知信号に基づき空の保管箱を選択装置に表示し、
第１および第２の操作器で読取った個別情報が、利用データとしてすでに利用されている保管箱の識別情報に対応して記憶している個別情報と一致すると、空の保管箱に加え当該操作者がすでに利用している保管箱を選択装置に表示し、
選択装置により空の保管箱が選択されると、選択された保管箱の電気錠を解錠するとともに、当該保管箱の扉を閉じたときに検知手段からの検知信号が入力していると第１および第２の操作器で読取った個別情報を選択された保管箱の識別情報に対する利用データとして記憶し、
当該操作者がすでに利用している保管箱が選択されると、選択された保管箱の電気錠を解錠するとともに、当該保管箱の扉を閉じたときに検知手段からの検知信号が入力していなければ、利用データとして記憶している当該保管箱の識別情報とその識別情報に対する個別情報を利用データから削除する
ことを特徴とする管理システム。
【発明の詳細な説明】
【０００１】
【発明の属する技術分野】
貴重品を管理するための管理システムに関するものである。
【０００２】
【従来の技術】
従来、貴重品を管理する場合、貴重品を保管している管理区域である部屋の出入口にカードリーダやテンキー等の操作器を設置し、操作器に入力されたカードのデータや暗証番号等の個別情報をもとに入室者が正当な者であることを確認した後、出入口扉に設けた電気錠を解錠させ、入室できるようにしたシステムがある。
【０００３】
また、貴重品は金庫等の保管箱に収められ、この保管箱の扉の鍵を管理者が管理するようにしている。
【０００４】
【発明が解決しようとする課題】
上記従来のシステムでは、貴重品が保管してある部屋への入退室者の確認や退室時の不正な持出しの監視、あるいは保管箱の鍵の管理を人により行っているが、この場合、入退室者の監視や鍵の管理のために管理者を常時配置する必要があり、人件費が嵩むという問題があった。
【０００５】
また、保管箱の鍵は誰でも使用することができるため、貴重品を保管箱に収納した者以外の者であっても当該貴重品の持出しが可能であり、貴重品の不正な持出しを確実に防止することはできなかった。
【０００６】
【課題を解決するための手段】
そこで、上記課題を解決するために請求項１乃至３に記載の発明では、貴重品を保管している部屋へ予め登録している者が入室および退室する場合には、入退室者の他にもう一人予め登録している者の照合を必要とし、両者が一致したときにのみ電気錠を解錠するようにしている。
【０００７】
また、請求項４及び請求項５に記載の発明では、貴重品を保管する場合および保管箱から取出す場合には、２人の操作者の照合を必要とするとともに、貴重品を保管箱から取出す場合は、この貴重品を保管した者と同じ者が操作したときにのみこの貴重品が保管されている保管箱の電気錠を解錠するようにしている。
【０００８】
【発明の実施の形態】
本願の管理システムのブロック図を図２、４、５、７、９に示す。図１及び図２は、請求項１乃至請求項３の発明に係る実施形態を示し、図３及び図４は請求項４及び請求項５の発明に係る実施の形態を示す。
先ず、図１は本発明による管理対象である監視区域としての部屋Ａを示す。図２は上記部屋Ａを管理する管理システムのブロック図を示し、この管理システムは、操作者の個別情報が入力されると、この個別情報を制御装置に出力する操作器１、２、３と、部屋Ａへの出入口扉に設けた電気錠ＬＡ と、予め監視区域内への入室を許可されている者の個別情報を照合用データとして記憶し、操作器１、２、３からの個別情報と照合用データに基づき電気錠を解錠する制御装置５とから構成されている。なお、操作器１、２、３は図１に示すように、操作器１および２は監視区域の外に設置され、操作器３は監視区域内に設置されている。
【０００９】
また、図３は、管理対象が保管庫における保管箱Ｂを示し、保管庫には複数の保管箱Ｂ（Ｂ１，Ｂ２・・Ｂｎ）を備えている。各保管箱Ｂには電気錠Ｌ（Ｌ１、Ｌ２・・・Ｌｎ）を有し、また、その内部には保管物の有無を検出するセンサＳ（Ｓ１，Ｓ２・・Ｓｎ）が取り付けられている。
図４は保管箱Ｂを管理する管理システムのブロック図であり、この管理システムは、操作者の個別情報が入力されると、この個別情報を制御装置に出力する操作器１１、１２と、貴重品を保管するための少なくとも１つの保管箱Ｂに設けた電気錠Ｌおよび検知手段Ｓと、使用可能な保管箱の識別情報を表示し、操作者により表示した保管箱のうち１つが選択されると選択信号を出力する選択装置１３と、予め保管箱の使用を許可されている者の個別情報を記憶し、操作器１１，１２と選択装置１３からの入力信号に応じて電気錠Ｌを解錠する制御装置１５とから構成されている。
【００１０】
なお、以下の実施例では、操作器１〜３、操作器１１、１２はテンキーと指紋入力部とから構成され、操作器１〜３、操作器１１、１２に入力する操作者の個別情報は暗証番号と指紋としているが、操作器１〜３、操作器１１、１２は操作者個人を識別できるものであればよく、テンキーと指紋入力部の何れか一方のみであってもよく、また、カードリーダ等他の操作器を用いる場合は、照合用データ等も操作器に対応して変更してもよい。
〔実施例〕
以下に、図１、図２に示した部屋の管理システムの第１の実施例を説明する。
【００１１】
〔構成〕
本願の第１の実施例のブロック図を図５に示す。
操作器１および２（本実施例では、テンキーと指紋入力部とする）は、監視区域Ａの外に設置され、操作者の個別情報（本実施例では、暗証番号と指紋とする）が入力すると、入力した暗証番号と指紋を制御装置５に出力する。
【００１２】
操作器３（本実施例では、テンキーと指紋入力部とする）は、監視区域Ａの内に設置され、操作者の個別情報（本実施例では、暗証番号と指紋とする）が入力すると、入力した暗証番号と指紋を制御装置５に出力する。
電気錠ＬＡ は、監視区域Ａの出入口扉に設けられ、制御装置５からの解錠信号が入力すると解錠する。
【００１３】
制御装置５は、制御部５１とタイマ５２と照合用データ記憶部５３とから構成されている。
タイマ５２は、制御部５１からの計時開始信号が入力すると所定時間計時を行い、所定時間計時を行うと制御部５１に計時終了信号を出力し、制御部５１からリセット信号が入力されると計時を終了しリセットする。
【００１４】
照合用データ記憶部５３は、監視区域Ａへの入室が許可されている者の暗証番号と指紋を予め照合用データとして記憶している。
制御部５１は、操作器１からの暗証番号および指紋が入力すると照合用データ記憶部５３に記憶している照合用データと比較し、両者が一致するとタイマ５２に計時開始信号を出力する。この後、操作器２より暗証番号と指紋が入力すると、照合用データ記憶部５３に記憶している照合用データのうち操作器１から入力した暗証番号と指紋を除く照合用データと比較し、両者が一致すると電気錠ＬＡ に解錠信号を出力するとともにタイマ５２にリセット信号を出力する。また、タイマ５２からの計時終了信号が入力すると、すべての処理を中止する。
【００１５】
〔入室時の動作〕
次に、第１の実施例の動作を図６のフローチャートにしたがって説明する。
なお、以下の説明において、第１の操作者とは、監視区域Ａの外部（事務室等）で作業を行っているもののうち、照合用データ記憶部に照合用データが登録されている者を言う。したがって、第１の操作者は、照合用データ記憶部に暗証番号と指紋データが記憶されている者、つまり、監視区域Ａに入室を許可されている者であれば誰でもよい。また、第２の操作者は、監視区域Ａ内に入室して作業を行おうとする者をいい、第３の操作者は、監視区域Ａより退出しようとする者を言うものとする。
【００１６】
まず、監視区域Ａの外部で作業を行っている者である第１の操作者が、監視区域Ａに入室しようとする者である第２の操作者の要請により、操作器１のテンキーで自分の暗証番号を、また、操作器１の指紋入力部で指紋を入力する。
暗証番号が入力した操作器１のテンキーは、制御装置５に対して入力された暗証番号を出力する。
【００１７】
また、第１の操作者の指紋を読み取った指紋入力部は、指紋データを出力する。
操作器１のテンキーからの暗証番号および指紋入力部からの指紋データは制御装置５の制御部５１に入力し、制御部５１は、まず入力した暗証番号が照合用データ記憶部５３に記憶している照合用データと一致するか否かを判断する（Ｓ１０１，Ｓ１０２）。
【００１８】
そして、暗証番号が一致すると、この暗証番号に対応して照合用データとして記憶している指紋データと指紋入力部から入力した指紋データが一致するか否かを判断する（Ｓ１０３，Ｓ１０４）。
制御部５１は、暗証番号および指紋が予め記憶している照合用データと一致すると、タイマ５２に対して計時開始信号を出力し、タイマ５２の計時を開始する（Ｓ１０５）。
【００１９】
次に、監視区域Ａへの入室者である第２の操作者が操作器２のテンキーで自分の暗証番号を、また、操作器２の指紋入力部で指紋を入力する。
暗証番号が入力した操作器２のテンキーは、制御装置５に対して入力された暗証番号を出力する。
また、第２の操作者の指紋を読み取った指紋入力部は、指紋データを出力する。
【００２０】
操作器２のテンキーからの暗証番号および指紋入力部からの指紋データは制御装置５の制御部５１に入力し、制御部５１は、まず入力した暗証番号が照合用データ記憶部５３に記憶している照合用データと一致するか否かを判断する（Ｓ１０６，Ｓ１０７）。
そして、暗証番号が一致すると、この暗証番号に対応して照合用データとして記憶している指紋データと指紋入力部から入力した指紋データが一致するか否かを判断する（Ｓ１０８，Ｓ１０９）。
【００２１】
制御部５１は、暗証番号および指紋が予め記憶している照合用データと一致すると、電気錠ＬＡ に対し解錠信号を出力する（Ｓ１１０）とともに、タイマ５２にリセット信号を出力する。
解錠信号が入力した電気錠ＬＡ は、解錠する。
また、リセット信号が入力したタイマ５２は、リセットする。
【００２２】
なお、制御部５１はタイマ５２からの計時終了信号が入力した場合（Ｓ１１５，Ｓ１１７）、つまり、第１の操作者が操作器１により照合操作を行った後、所定時間以内に第２の操作者の照合操作が行われなかった場合は、すべての処理を中止し、ステップ１０１に戻る。
〔退室時の動作〕
監視区域に入室した者が退室する場合、まず、監視区域Ａからの退室者である第３の操作者は監視区域内のインタホン等により監視区域外の者に退出することを伝え、操作器１による照合操作を要求する。
【００２３】
すると、入室時と同様に第１の操作者が操作器１のテンキーで自分の暗証番号を、また、操作器１の指紋入力部で指紋を入力する。
暗証番号が入力した操作器１のテンキーは、制御装置５に対して入力された暗証番号を出力する。
また、第１の操作者の指紋を読み取った指紋入力部は、指紋データを出力する。
【００２４】
操作器１のテンキーからの暗証番号および指紋入力部からの指紋データは制御装置５の制御部５１に入力し、制御部５１は、まず入力した暗証番号が照合用データ記憶部５３に記憶している照合用データと一致するか否かを判断する（Ｓ１０１，Ｓ１０２）。
そして、暗証番号が一致すると、この暗証番号に対応して照合用データとして記憶している指紋データと指紋入力部から入力した指紋データが一致するか否かを判断する（Ｓ１０３，Ｓ１０４）。
【００２５】
制御部５１は、暗証番号および指紋が予め記憶している照合用データと一致すると、タイマ５２に対して計時開始信号を出力し、タイマ５２の計時を開始する（Ｓ１０５）。
ここで、ステップ１０６により、操作器２より暗証番号の入力の有無がチェックされるが、退出時には操作器２よりの入力はないから、ステップ１１１に進む。
【００２６】
次に、監視区域Ａからの退室者である第３の操作者が監視区域Ａ内にある操作器３のテンキーで自分の暗証番号を、また、操作器３の指紋入力部で指紋を入力する。
暗証番号が入力した操作器３のテンキーは、制御装置５に対して入力された暗証番号を出力する。
【００２７】
また、第３の操作者の指紋を読み取った指紋入力部は、指紋データを出力する。
操作器３のテンキーからの暗証番号および指紋入力部からの指紋データは制御装置５の制御部５１に入力し、制御部５１は、まず入力した暗証番号が照合用データ記憶部５３に記憶している照合用データと一致するか否かを判断する（Ｓ１１１，Ｓ１１２）。
【００２８】
そして、暗証番号が一致すると、この暗証番号に対応して照合用データとして記憶している指紋データと指紋入力部から入力した指紋データが一致するか否かを判断する（Ｓ１１３，Ｓ１１４）。
制御部５１は、暗証番号および指紋が予め記憶している照合用データと一致すると、電気錠ＬＡ に対し解錠信号を出力する（Ｓ１１０）とともに、タイマ５２にリセット信号を出力する。
【００２９】
解錠信号が入力した電気錠は、解錠する。
また、リセット信号が入力したタイマ５２は、リセットする。
制御部５１はタイマ５２からの計時終了信号が入力した場合（Ｓ１１５，Ｓ１１６）、つまり、第１の操作者が操作器１により照合操作を行った後、所定時間以内に第３の操作者の照合操作が行われなかった場合は、すべての処理を中止し、ステップ１０１に戻る。
【００３０】
なお、本実施例では、制御装置５は、入室時と退室時の第１の操作者は、照合用データ記憶部に記憶されている者であれば誰でもよく、入室時と退室時の第１の操作者が異なる者であっても電気錠は解錠する。
しかし、入室時には、入室者である第２の操作者の暗証番号と指紋データとこの入室者の入室時の第１の操作者の暗証番号と指紋データとを対応させて退室確認データとして記憶し、退室時には操作器１および操作器３からの暗証番号と指紋データが退室確認データと一致したときにのみ電気錠を解錠するようにし、入室時と退室時の第１の操作者が同じ者になるようにしてもよい。
〔実施例２〕
〔構成〕
本願の第２の実施例のブロック図を図７に示す。
【００３１】
操作器１、２、３と電気錠ＬＡ は、実施例１と同じであるので説明は省略する。
報知装置６は、監視区域外に設置され、制御装置５からのメッセージ信号が入力すると、このメッセージを音声や文字により監視区域外の者に報知する。
制御装置５は、実施例１と同じタイマと照合用データ記憶部５３に加え、制御部５１と入室者データ記憶部５４とから構成されている。タイマ部５２と照合用データ記憶部５３は実施例１と同じであるので、説明は省略する。
【００３２】
入室者データ記憶部５４は、制御部５１からの入室者データを入力すると当該入室者データを記憶し、削除信号が入力されると、当該入室者データを削除する。
制御部５１は、操作器１からの暗証番号および指紋データが入力すると照合用データ記憶部５３に記憶している照合用データと比較し、両者が一致するとタイマに計時開始信号を出力する。この後、操作器２より暗証番号と指紋データが入力すると、照合用データ記憶部５３に記憶している照合用データのうち操作器１から入力した暗証番号と指紋データを除く照合用データと比較し、両者が一致すると電気錠に解錠信号を出力するとともにタイマ５２にリセット信号を出力し、操作器２からの暗証番号と指紋データを入室者データ記憶部５４に出力する。また、操作器３からの暗証番号および指紋データが入力すると入室者データ記憶部５４に記憶している入室者データと比較し、両者が一致すると、報知装置６にメッセージ信号を出力するとともに、タイマ５２に計時開始信号を出力する。この後、操作器１から照合用データ記憶部５３に記憶している暗証番号および指紋が入力すると、電気錠ＬＡ を解錠するとともにタイマ５２にリセット信号を出力し、入室者データ記憶部５４に削除信号を出力し入室者データ記憶部５４に記憶している当該入室者データを削除する。さらに、タイマ５２からの計時終了信号が入力すると、すべての処理を中止する。
【００３３】
〔入室時の動作〕
次に、第２の実施例の動作を図８のフローチャートにしたがって説明する。
まず、第１の操作者が操作器１のテンキーで自分の暗証番号を、また、操作器１の指紋入力部で指紋を入力する。
暗証番号が入力した操作器１のテンキーは、制御装置５に対して入力された暗証番号を出力する。
【００３４】
また、第１の操作者の指紋を読み取った指紋入力部は、指紋データを出力する。
操作器１のテンキーからの暗証番号および指紋入力部からの指紋データは制御装置５の制御部５１に入力し、制御部５１は、まず入力した暗証番号が照合用データ記憶部に記憶している照合用データと一致するか否かを判断する（Ｓ２０１，Ｓ２０２）。
【００３５】
そして、暗証番号が一致すると、この暗証番号に対応して照合用データとして記憶している指紋データと指紋入力部から入力した指紋データが一致するか否かを判断する（Ｓ２０３，Ｓ２０４）。
制御部５１は、暗証番号および指紋が予め記憶している照合用データと一致すると、タイマ５２に対して計時開始信号を出力し、タイマ５２の計時を開始する（Ｓ２０５）。
【００３６】
次に、監視区域への入室者である第２の操作者が操作器２のテンキーで自分の暗証番号を、また、操作器２の指紋入力部で指紋を入力する。
暗証番号が入力した操作器２のテンキーは、制御装置５に対して入力された暗証番号を出力する。
また、第２の操作者の指紋を読み取った指紋入力部は、指紋データを出力する。
【００３７】
操作器２のテンキーからの暗証番号および指紋入力部からの指紋データは制御装置５の制御部５１に入力し、制御部５１は、まず入力した暗証番号が照合用データ記憶部５３に記憶している照合用データと一致するか否かを判断する（Ｓ２０６，Ｓ２０７）。
そして、暗証番号が一致すると、この暗証番号に対応して照合用データとして記憶している指紋データと指紋入力部から入力した指紋データが一致するか否かを判断する（Ｓ２０８，Ｓ２０９）。
【００３８】
制御部５１は、暗証番号および指紋が予め記憶している照合用データと一致すると、操作器２から入力した暗証番号と指紋データを入室者データ記憶部５４に出力する。
制御部５１からの入室者データが入力した入室者データ記憶部５４は、入力した入室者データを記憶する（Ｓ２１０）。
【００３９】
また制御部５１は、電気錠ＬＡに対し解錠信号を出力する（Ｓ２１１）とともに、タイマ５２にリセット信号を出力する。
解錠信号が入力した電気錠は、解錠する。
また、リセット信号が入力したタイマ５２は、リセットする。
なお、制御部５１はタイマ５２からの計時終了信号が入力した場合（Ｓ２２０，Ｓ２２１）、つまり、第１の操作者が操作器１により照合操作を行った後、所定時間以内に第２の操作者の照合操作が行われなかった場合は、すべての処理を中止し、ステップ２０１に戻る。
【００４０】
〔退室時の動作〕
監視区域に入室した者が退室する場合、まず、監視区域からの退室者である第３の操作者は操作器３のテンキーで自分の暗証番号を、また、操作器３の指紋入力部で指紋を入力する。
暗証番号が入力した操作器３のテンキーは、制御装置５に対して入力された暗証番号を出力する。
【００４１】
また、第３の操作者の指紋を読み取った指紋入力部は、指紋データを出力する。
操作器３のテンキーからの暗証番号および指紋入力部からの指紋データは制御装置５の制御部５１に入力し、制御部５１は、まず入力した暗証番号が入室者データ記憶部５４に記憶している入室者データと一致するか否かを判断する。
【００４２】
そして、暗証番号が一致すると、この暗証番号に対応して入室者データとして記憶している指紋データと指紋入力部から入力した指紋データが一致するか否かを判断する（Ｓ２１２，Ｓ２１３）。
制御部５１は、暗証番号および指紋が入室者用データと一致すると、報知装置６に対して監視区域外の者に照合操作を要求するメッセージであるメッセージ信号を出力する（Ｓ２１４）。
【００４３】
メッセージ信号が入力した報知装置６は、文字や音声により監視区域外の者に照合操作を要求するメッセージを出力する。
このメッセージにより、監視区域外の第１の操作者は操作器１のテンキーで自分の暗証番号を、また、操作器１の指紋入力部で指紋を入力する。
暗証番号が入力した操作器１のテンキーは、制御装置５に対して入力された暗証番号を出力する。
【００４４】
また、第１の操作者の指紋を読み取った指紋入力部は、指紋データを出力する。
操作器１のテンキーからの暗証番号および指紋入力部からの指紋データは制御装置５の制御部５１に入力し、制御部５１は、まず入力した暗証番号が照合用データ記憶部５３に記憶している照合用データと一致するか否かを判断する（Ｓ２１５，Ｓ２１６）。
【００４５】
そして、暗証番号が一致すると、この暗証番号に対応して照合用データとして記憶している指紋データと指紋入力部から入力した指紋データが一致するか否かを判断する（Ｓ２１７，Ｓ２１８）。
制御部５１は、暗証番号および指紋が予め記憶している照合用データと一致すると、電気錠に対し解錠信号を出力する（Ｓ２１９）。
【００４６】
解錠信号が入力した電気錠は、解錠する。
なお、本実施例では制御装置５は、入室時と退室時の第１の操作者は、照合用データ記憶部５３に記憶されている者であれば誰でもよく、入室時と退室時の第１の操作者が異なる者であっても電気錠は解錠する。
しかし、入室時には、入室者である第２の操作者の暗証番号と指紋データとこの入室者の入室時の第１の操作者の暗証番号と指紋データとを対応させて退室確認データとして記憶し、退室時には操作器１および操作器３からの暗証番号と指紋データが退室確認データと一致したときにのみ電気錠を解錠するようにし、入室時と退室時の第１の操作者が同じ者になるようにしてもよい。
【００４７】
また、入室時データとして暗証番号と指紋データの両方を入室者データとして記憶しているが、どちらか一方を入室者データとするようにしてもよい。
〔実施例３〕
次に、図３及び図４に示した監視対象が保管倉庫の保管箱である管理システムの実施例である第３の実施例について説明する。なお、以下の説明において、第４の操作者及び第５の操作者とは、保管箱へのアクセスを許される２名の操作者をいう。
【００４８】
〔構成〕
本願の第３の実施例のブロック図を図９に示す。
操作器１１および１２（本実施例では、テンキーと指紋入力部とする）は、操作者の個別情報（本実施例では、暗証番号と指紋とする）が入力すると、入力した暗証番号と指紋を制御装置１５に出力する。
【００４９】
電気錠Ｌ（Ｌ１〜Ｌｎ）は、各保管箱Ｂ（Ｂ１〜Ｂｎ）に設けられ、制御装置１５からの解錠信号が入力すると解錠し、施錠信号が入力すると施錠する。
検知手段Ｓ１〜Ｓｎは、各保管箱Ｂ（Ｂ１〜Ｂｎ）に設けられ、保管箱内の物体の存在を検知すると制御装置１５に対し検知信号を出力する。
選択装置１３は、制御装置１５からの保管箱Ｂの識別情報が入力すると、この識別情報を表示する表示部１３１と、表示した識別情報のうち操作者が選択した識別情報を選択信号として制御装置１５に出力する入力部１３２とから構成されている。
【００５０】
制御装置１５は、制御部１５１とタイマ１５２と照合用データ記憶部１５３と利用データ記憶部１５４とから構成されている。
タイマ１５２は、制御部１５１からの計時開始信号が入力すると所定時間計時を行い、所定時間計時を行うと制御部に計時終了信号を出力し、制御部１５１からリセット信号が入力されると計時を終了しリセットする。
【００５１】
照合用データ記憶部１５３は、保管箱の利用が許可されている者の暗証番号と指紋を予め照合用データとして記憶している。
利用データ記憶部１５４は、制御部１５１から保管箱の識別情報と操作器１１および１２で入力された暗証番号と指紋データが入力すると、当該識別情報と暗証番号および指紋データを利用データとして記憶し、削除信号が入力されると、当該利用データを削除する。
【００５２】
制御部１５１は、操作器１１からの暗証番号および指紋が入力すると照合用データ記憶部１５４に記憶している照合用データと比較し、両者が一致するとタイマ１５２に計時開始信号を出力する。この後、タイマの計時中に操作器１２より暗証番号と指紋が入力すると、照合用データ記憶部１５３に記憶している照合用データのうち操作器１１から入力した暗証番号と指紋を除く照合用データと比較し、両者が一致すると検知手段Ｓからの検知信号に基づき空きの保管箱Ｂの識別情報を選択装置１３の表示部１３１に出力する。また、操作器１１および操作器１２から入力した暗証番号と指紋データが利用データ記憶手段１５４に記憶している利用データとが一致すると、空きの保管箱の識別情報に加え第４および第５の操作者がすでに貴重品を保管している保管箱の識別情報を選択装置１３の表示部１３１に出力する。選択装置１３の入力部１３２からの選択信号が入力すると、選択された保管箱Ｂｎの電気錠Ｌｎに解錠信号を出力するとともにタイマ１５２にリセット信号を出力し、当該保管箱Ｂｎの扉が閉じると電気錠Ｌｎに施錠信号を出力する。このとき、空の保管箱が選択され、当該保管箱Ｂｎの扉が閉じた後、当該保管箱Ｂｎに設けた検知手段Ｓｎより検知信号が入力していた場合は、選択された保管箱Ｂｎの識別情報と操作器１１および１２からの暗証番号と指紋データを利用データとして利用データ記憶部１５４に出力する。また、第４および第５の操作者によりすでに貴重品を保管していた保管箱が選択され、さらに当該保管箱の扉が閉じた後、当該保管箱に設けた検知手段より検知信号が入力していなかった場合は、利用データ記憶部１５４から当該保管箱に対する利用データを削除する削除信号を出力する。なお、空の保管箱が選択され、当該保管箱の扉が閉じた後、当該保管箱に設けた検知手段より検知信号が入力してなかった場合は、利用データは出力しない。また、第４および第５の操作者がすでに貴重品を保管していた保管箱が選択され、さらに当該保管箱の扉が閉じた後、当該保管箱に設けた検知手段より検知信号が入力していた場合は、削除信号は出力しない。さらに、タイマ１５２からの計時終了信号が入力すると、すべての処理を中止する。
【００５３】
〔収納時の動作〕
次に、第３の実施例の動作を図１０及び図１１のフローチャートにしたがって説明する。
まず、第４の操作者が操作器１１のテンキーで自分の暗証番号を、また、操作器１１の指紋入力部で指紋を入力する。
【００５４】
暗証番号が入力した操作器１１のテンキーは、制御装置１５に対して入力された暗証番号を出力する。
また、第４の操作者の指紋を読み取った指紋入力部は、指紋データを出力する。
操作器１１のテンキーからの暗証番号および指紋入力部からの指紋データは制御装置１５の制御部１５１に入力し、制御部１５１は、まず入力した暗証番号が照合用データ記憶部１５３に記憶している照合用データと一致するか否かを判断する（Ｓ３０１，Ｓ３０２）。
【００５５】
そして、暗証番号が一致すると、この暗証番号に対応して照合用データとして記憶している指紋データと指紋入力部から入力した指紋データが一致するか否かを判断する（Ｓ３０３，Ｓ３０４）。
制御部１５１は、暗証番号および指紋が予め記憶している照合用データと一致すると、タイマ１５２に対して計時開始信号を出力し、タイマの計時を開始する（Ｓ３０５）。
【００５６】
次に、第５の操作者が操作器１２のテンキーで自分の暗証番号を、また、操作器１２の指紋入力部で指紋を入力する。
暗証番号が入力した操作器１２のテンキーは、制御装置１５に対して入力された暗証番号を出力する。
また、第５の操作者の指紋を読み取った指紋入力部は、指紋データを出力する。
【００５７】
操作器１２のテンキーからの暗証番号および指紋入力部からの指紋データは制御装置１５の制御部１５１に入力し、制御部１５１は、まず入力した暗証番号が照合用データ記憶部１５３に記憶している照合用データと一致するか否かを判断する（Ｓ３０６，Ｓ３０７）。
そして、暗証番号が一致すると、この暗証番号に対応して照合用データとして記憶している指紋データと指紋入力部から入力した指紋データが一致するか否かを判断する（Ｓ３０８，Ｓ３０９）。
【００５８】
制御部１５１は、暗証番号および指紋が予め記憶している照合用データと一致すると、操作器１１および１２から入力した暗証番号と指紋データが利用データ記憶部１５４に記憶している利用データと一致するか否かを判断する（Ｓ３１０）。
ステップ３１０で、操作器１１および１２から入力した暗証番号と指紋データが利用データ記憶部１５４に記憶している利用データと一致しない、つまり、第４の操作者および第５の操作者が貴重品を保管していない場合は、制御部１５は選択装置１３の表示部１３１に貴重品を保管していない空の保管箱の識別情報を出力する（Ｓ３１１）。
【００５９】
保管箱の識別情報が入力した表示部１３１は、入力した保管箱の識別情報、つまり、空の保管箱を図や文字により表示する。
第４の操作者または第５の操作者は、表示部１３１に表示した保管箱の情報をもとに利用する保管箱を選択し、入力部１３２より保管箱の識別情報を入力する。
【００６０】
入力部１３２は、保管箱の識別情報が入力されると選択信号として制御装置１５の制御部１５１に出力する。
選択信号を入力した制御部１５１は（Ｓ３１２）、選択された保管箱の電気錠に対し解錠信号を出力するとともにタイマ１５２にリセット信号を出力する（Ｓ３１３）。
【００６１】
解錠信号が入力した電気錠は解錠し、リセット信号が入力したタイマ１５２はリセットする。
第４および第５の操作者は、選択した保管箱の電気錠が解錠し、当該保管箱の扉が開放すると、保管箱に貴重品を収納し扉を閉める。
制御部１５１は、当該保管箱の扉が閉じると当該保管箱の電気錠に施錠信号を出力する（Ｓ３１５）。このとき、制御部１５１は、空であった当該保管箱に貴重品が収納され、当該保管箱に設けた検知手段から検知信号が入力している、つまり、当該保管箱に貴重品が収納されていると、選択された保管箱の識別情報と操作器１１および１２で読取った暗証番号と指紋を利用データ記憶部１５４に出力する（Ｓ３１６，Ｓ３１７）。
【００６２】
施錠信号が入力した電気錠Ｌｎは、施錠する。
利用データ記憶部１５４は、保管箱の識別情報と第４および第５の操作者の暗証番号と指紋を利用データとして記憶する（Ｓ３１８）。
なお、制御部１５１は、ステップ３１７で当該保管箱に設けた検知手段から検知信号が入力していない、つまり当該保管箱に貴重品が収納されていないと、選択された保管箱の識別情報と操作器１１および１２で読取った暗証番号と指紋は利用データ記憶部１５４に出力せずに処理を終了し、ステップ３０１に戻る（Ｓ３１７）。
【００６３】
また、制御部１５１はタイマ１５２からの計時終了信号が入力した場合（Ｓ３１９，Ｓ３２０，Ｓ３２１）、つまり、第４の操作者が操作器１１により照合操作を行った後、所定時間以内に第５の操作者の照合操作が行われなかった場合や、第４及び第５の操作者が操作器１１及び１２により照合操作を行った後、所定時間以内に保管箱を選択しなかった場合は、すべての処理を中止し、ステップ３０１に戻る。
【００６４】
〔返却時の動作〕
まず、第４の操作者が操作器１１のテンキーで自分の暗証番号を、また、操作器１１の指紋入力部で指紋を入力する。
暗証番号が入力した操作器１１のテンキーは、制御装置５に対して入力された暗証番号を出力する。
【００６５】
また、第４の操作者の指紋を読み取った指紋入力部は、指紋データを出力する。
操作器１１のテンキーからの暗証番号および指紋入力部からの指紋データは制御装置１５の制御部１５１に入力し、制御部１５１は、まず入力した暗証番号が照合用データ記憶部１５３に記憶している照合用データと一致するか否かを判断する（Ｓ３０１，Ｓ３０２）。
【００６６】
そして、暗証番号が一致すると、この暗証番号に対応して照合用データとして記憶している指紋データと指紋入力部から入力した指紋データが一致するか否かを判断する（Ｓ３０３，Ｓ３０４）。
制御部１５１は、暗証番号および指紋が予め記憶している照合用データと一致すると、タイマ１５２に対して計時開始信号を出力し、タイマ１５２の計時を開始する（Ｓ３０５）。
【００６７】
次に、第５の操作者が操作器１２のテンキーで自分の暗証番号を、また、操作器１２の指紋入力部で指紋を入力する。
暗証番号が入力した操作器１２のテンキーは、制御装置１５に対して入力された暗証番号を出力する。
また、第５の操作者の指紋を読み取った指紋入力部は、指紋データを出力する。
【００６８】
操作器１２のテンキーからの暗証番号および指紋入力部からの指紋データは制御装置１５の制御部１５１に入力し、制御部１５１は、まず入力した暗証番号が照合用データ記憶部１５３に記憶している照合用データと一致するか否かを判断する（Ｓ３０６，Ｓ３０７）。
そして、暗証番号が一致すると、この暗証番号に対応して照合用データとして記憶している指紋データと指紋入力部から入力した指紋データが一致するか否かを判断する（Ｓ３０８，Ｓ３０９）。
【００６９】
制御部１５１は、暗証番号および指紋が予め記憶している照合用データと一致すると、操作器１１および１２から入力した暗証番号と指紋が利用データ記憶部１５４に記憶している利用データと一致するか否かを判断する（Ｓ３１０）。
ステップ３１０で、操作器１１および１２から入力した暗証番号と指紋が利用データ記憶部１５４に記憶している利用データと一致した、つまり、第４の操作者および第５の操作者がすでに保管箱に貴重品を保管している場合は、制御部１５１は選択装置１３の表示部１３１に貴重品を保管していない空の保管箱の識別情報に加え、利用データ記憶部１５４に記憶している利用データをもとに当該第４および第５の操作者が既に貴重品を保管している保管箱の識別情報を出力する（Ｓ３１１）。
【００７０】
保管箱の識別情報が入力した表示部１３１は、入力した保管箱の識別情報、つまり、空の保管箱とすでに第４および第５の操作者が貴重品を保管している保管箱を図や文字により表示する。
第４の操作者または第５の操作者は、表示部１３１に表示した保管箱の情報をもとに利用する保管箱を選択し、入力部１３２より保管箱の識別情報を入力する。
【００７１】
入力部１３２は、保管箱の識別情報が入力されると選択信号として制御装置１５の制御部１５１に出力する。
選択信号を入力した制御部１５１は（Ｓ３１２）、選択された保管箱の電気錠に対し解錠信号を出力するとともにタイマ１５２にリセット信号を出力する（Ｓ３１３）。
【００７２】
解錠信号が入力した電気錠は解錠し、リセット信号が入力したタイマ１５２はリセットする。
第４および第５の操作者は、選択した保管箱の電気錠が解錠し、当該保管箱の扉が開放すると、保管箱に貴重品を収納し扉を閉める。
制御部１５１は、当該保管箱の扉が閉じると当該保管箱の電気錠に施錠信号を出力する（Ｓ３１５）。このとき、制御部１５１は、予め貴重品が収納されていた保管箱から貴重品が取り出され、当該保管箱に設けた検知手段から検知信号が入力していない、つまり当該保管箱に貴重品が収納されていないと、選択された保管箱の識別情報と操作器１１および１２で読取った暗証番号と指紋を利用データ記憶部１５４から削除するための削除信号を利用者データ記憶部に出力する（Ｓ３１６，Ｓ３２２）。  施錠信号が入力した電気錠は、施錠する。
【００７３】
利用データ記憶部１５４は、削除信号が入力すると、当該保管箱に対応する利用データを削除する（Ｓ３２３）。
なお、制御部１５１は、ステップ３２２で当該保管箱に設けた検知手段から検知信号が入力している、つまり当該保管箱に貴重品が収納されていると、利用データ記憶部１５４へ削除信号を出力せずに処理を終了し、ステップ３０１に戻る。
【００７４】
また、制御部１５１はタイマ１５２からの計時終了信号が入力した場合（Ｓ３１９，Ｓ３２０，Ｓ３２１）、つまり、第４の操作者が操作器１１により照合操作を行った後、所定時間以内に第５の操作者の照合操作が行われなかった場合や、第４の及び第５操作者が操作器１１及び１２により照合操作を行った後、所定時間以内に保管箱を選択しなかった場合は、すべての処理を中止し、ステップ３０１に戻る。
【００７５】
なお、上記実施例１乃至３で、指紋の照合を所定回数（例えば３回）までとし、３回照合しても照合用データまたは利用データと一致しない場合は、処理を中止するようにしてもよい。
また、実施例３では、保管箱に保管した貴重品を取り出す場合、操作器１１及び１２で読み取った暗証番号と指紋が利用データ記憶部に記憶した利用データと一致したときにのみ貴重品を保管している保管箱の電気錠を解錠するようにしているが、利用データ記憶部を設けずに、操作器１１及び１２で読み取った暗証番号と指紋が照合用データ記憶部に記憶している暗証番号及び指紋データと一致したときに、選択装置により貴重品を保管している保管箱が選択されると当該保管箱の電気錠を解錠するようにしてもよい。
【００７６】
【発明の効果】
貴重品が保管されている部屋への入室および退室の際には、入退室者を確認する管理者が必要となるため、室内への不正な入室（指紋を照合していない者の同時入室等）の管理、および、退室時の貴重品の不正な持出しの管理等を確実に行うことができる。
【００７７】
また、保管箱を解錠するためには、２人の操作者が必要になるため、作業中の不正な持出しを操作者相互に監視することができる。
さらに、貴重品を保管した操作者と同じ２人の操作者が操作しなければ保管箱を解錠することができないため、保管箱内の貴重品の不正な持出しを防止し、貴重品を確実に保護、管理することができる。
【００７８】
また、貴重品が保管されている部屋への入退室者の監視や保管箱の鍵の管理を行う者を常時配置しておく必要がなくなり、安価なシステムを提供することができる。
【図面の簡単な説明】
【図１】第１，第２の実施例の監視区域を示す図である。
【図２】第１，第２の実施例の管理システムのブロック図である。
【図３】第３の実施例の監視対象である保管庫を示す図である。
【図４】第３の実施例の管理システムのブロック図である。
【図５】第１の実施例のブロック図である。
【図６】第１の実施例の制御装置のフローチャートである。
【図７】第２の実施例のブロック図である。
【図８】第２の実施例の制御装置のフローチャートである。
【図９】第３の実施例のブロック図である。
【図１０】第３の実施例の制御装置のフローチャートである。
【図１１】第３の実施例の制御装置のフローチャートである。
【符号の説明】
１、２、３、１１、１２  操作器
５、１５  制御装置
１３  選択装置
５１、１５１  制御部
５２、１５２  タイマ
５３  １５３  照合データ記憶部
５４  入室者データ記憶部
１５４  利用データ記憶部
Ｂ１〜Ｂｎ  保管箱
ＬＡ ，Ｌ１〜Ｌｎ  電気錠
Ｓ１〜Ｓｎ  検出手段
【図１】
0004154013.tif 000002
【図２】
0004154013.tif 000003
【図３】
0004154013.tif 000004
【図４】
0004154013.tif 000005
【図５】
0004154013.tif 000006
【図６】
0004154013.tif 000007
【図７】
0004154013.tif 000008
【図８】
0004154013.tif 000009
【図９】
0004154013.tif 000010
【図１０】
0004154013.tif 000011
【図１１】
0004154013.tif 000012